(57)【特許請求の範囲】
【請求項１】
一端側の端部にねじ部を有する軸状の軸部材と、
前記軸部材の外周に設けられ、前記軸部材が挿入される貫通孔を有する第１支持部材と、
前記第１支持部材の一端側に組み付けられ、前記貫通孔に連続するとともに前記軸部材の端部が螺合するねじ穴を有する、第２支持部材と、
前記第１支持部材及び前記第２支持部材の一端側に配される操作部と、
を備えることを特徴とするスイッチ装置。
【請求項２】
前記操作部は、樹脂材料を含み、前記第１支持部材の端部に前記第２支持部材が組付けられた組立部材の一端側の外面を被覆し、
前記第１支持部材は、円筒状であって、前記操作部に対する、前記軸部材の軸方向を中心とした、回転を規制する第１回転規制部を備え、
前記第２支持部材は、その外面の一部に、前記操作部に対する、前記軸部材の軸方向を中心とした、回転を規制する第２回転規制部を備える、
ことを特徴とする請求項１記載のスイッチ装置。
【請求項３】
一端側の端部にねじ部を有する軸状の軸部材と、
前記軸部材が挿入され、軸方向に貫通する貫通孔を備えるとともに、前記貫通孔の一端側の端部に、前記ねじ部が螺合するねじ穴を備える内側支持部材と、
前記内側支持部材が挿入される挿入孔を有し、前記内側支持部材の他端側の端部を支持する支持部、及び、一端側に設けられる操作部を一体に備える外側支持部材と、
を備えることを特徴とする、スイッチ装置。
【請求項４】
前記内側支持部材は前記挿入孔内に配され、一端が自由端であり、他端が前記外側支持部材の前記挿入孔の開口縁に支持される、ことを特徴とする請求項３記載のスイッチ装置。
【請求項５】
請求項１ないし請求項４のいずれか１項に記載のスイッチ装置と、
前記操作部をその外部に、前記軸部材の他端側をその内部に、配置する、時計ケースと、
前記時計ケース内に設けられる時計モジュールと、
を備えることを特徴とする時計。
【請求項６】
ねじ部を有する軸部材が挿入される貫通孔を備える第１支持部材を形成することと、
ねじ穴を有する第２支持部材を形成することと、
前記第１支持部材の端部に前記第２支持部材を組み付けた状態で、インサート成形により、樹脂材料を含む材料から構成されるとともに前記第１支持部材及び前記第２支持部材の一端側の外部を覆う操作部を形成することと、
を備えることを特徴とするスイッチ装置の製造方法。
【請求項７】
軸方向に貫通する貫通孔を備えるとともに、前記貫通孔の一端側の端部に、軸部材の端部が螺合するねじ穴を備える内側支持部材と、前記内側支持部材が挿入される挿入孔を有し、他端側に配される支持部、及び、一端側に配される操作部を一体に備える外側支持部材と、
をそれぞれ個別に形成することと、
前記内側支持部材の他端側の端部を前記外側支持部材の前記挿入孔の他端側の開口縁に組み付けることと、
を備えることを特徴とする、スイッチ装置の製造方法。
【発明の詳細な説明】
【技術分野】
【０００１】
本発明は、腕時計などの時計に用いられるスイッチ装置、時計、及びスイッチ装置の製造方法、に関する。
【背景技術】
【０００２】
腕時計等どの時計に用いられるスイッチ装置において、時計ケースにりゅうず等の操作部材が引き出し可能に設けられたものがある。例えば、スイッチ装置は、軸状の巻真と、この巻真の端部を支持するとともに操作者に操作される操作部材と、を備える。操作部材は、有底筒状であって巻真の端部を支持する支持部と、使用者が操作する操作部と、が一体に形成されている。時計ケースの貫通孔に支持部が取り付けられ、支持部に巻真の外端部が支持され、操作部が時計ケースの外部に配される。この場合、支持部の底部にねじ穴が形成され、このねじ穴に巻真の端部が螺合することで、巻真が操作部材に支持される。スイッチ装置は、時計ケースから外部に突出した操作部を引き出し、操作部材を回転させることにより、時刻を修正するように構成されている。
【０００３】
巻真が短い場合、例えば時計の落下等の衝撃によるケース内部でのムーブメントの暴れにより、巻真の切損やムーブメント破壊を招きやすい。この対策として、巻真全長を長くし、巻真の撓りによりムーブメントの暴れによる破壊を防止することがある。
【先行技術文献】
【特許文献】
【０００４】
【特許文献１】実公昭６２−４７１０５号公報
【発明の概要】
【発明が解決しようとする課題】
【０００５】
巻真を長くする場合には、支持部に細い挿入孔を深く掘り、この挿入孔の奥深くの底面に巻真固定用のねじを切る加工が必要となる。しかしながら、挿入孔が深くなるとねじ切りの加工が困難となるため、巻真の長さを確保することが難しい。
本発明の目的は、巻真の長さを確保し、耐衝撃性を向上することができるスイッチ装置、時計、及びスイッチ装置の製造方法を提供することである。
【課題を解決するための手段】
【０００６】
前記課題を解決し目的を達成するために、本発明の一例に係るスイッチ装置、時計、及びスイッチ装置の製造方法は、次のように構成されている。
本発明の一例に係るスイッチ装置は、一端側の端部にねじ部を有する軸状の軸部材と、前記軸部材の外周に設けられ、前記軸部材が挿入される貫通孔を有する第１支持部材と、前記第１支持部材の一端側に組み付けられ、前記貫通孔に連続するとともに前記軸部材の端部が螺合するねじ穴を有する、第２支持部材と、前記第１支持部材及び前記第２支持部材の一端側に配される操作部と、を備えることを特徴とする。
【０００７】
本発明の他の一例に係るスイッチ装置は、一端側の端部にねじ部を有する軸状の軸部材と、前記軸部材が挿入され、軸方向に貫通する貫通孔を備えるとともに、前記貫通孔の一端側の端部に、前記ねじ部が螺合するねじ穴を備える内側支持部材と、前記内側支持部材が挿入される挿入孔を有し、前記内側支持部材の他端側の端部を支持する支持部、及び、一端側に設けられる操作部を一体に備える外側支持部材と、
を備えることを特徴とする。
【発明の効果】
【０００８】
本発明によれば、巻真の長さを確保し、耐衝撃性を向上することが可能となる。
【図面の簡単な説明】
【０００９】
【図１】本発明の第１実施形態に係るスイッチ装置を備えた時計の一部を示す断面図。
【図２】同スイッチ装置の第１支持部材及び第２支持部材の組付状態を示す斜視図。
【図３】本発明の第２実施形態に係るスイッチ装置を備えた時計の一部を示す断面図。
【発明を実施するための形態】
【００１０】
[第１実施形態]
以下、本発明の第１実施形態にかかるスイッチ装置１０、時計１００及びスイッチ装置１０の製造方法について、図１及び図２を参照して説明する。なお、各図において、適宜構成を拡大、縮小、省略して概略的に示す。図１は、第１実施形態に係る時計１００のスイッチ装置１０の部分を示す断面図であり、図２は巻真パイプ１２と蓋部材１３を組付けた状態を示す斜視図である。なお、図中破線Ｃ１は軸方向を示す。
【００１１】
図１に示す時計１００は腕時計であり、腕時計ケース１と、時計ガラス２と、裏蓋３と、時計モジュール４と、スイッチ装置１０と、を備えている。
【００１２】
腕時計ケース１は、ケース本体１ａと、このケース本体１ａの上部外周に設けられたベゼル（図示せず）とを備えている。ケース本体１ａの上側開口部には、時計ガラス２がパッキン２ａを介して取り付けられている。ケース本体１ａの下部には、裏蓋３が防水リング３ａを介して取り付けられている。ケース本体１ａの内部には、時計モジュール４が設けられている。腕時計ケース１の３時側に位置する側部には、スイッチ装置１０が設けられている。
【００１３】
スイッチ装置１０は、操作者が引き出しや回転などの操作を行うことで時計モジュール４のモード切替や時刻修正などを行う、りゅうずである。
スイッチ装置１０は、一端側にねじ部１１ａを有する軸状の軸部材としての巻真１１と、巻真１１が挿入される貫通孔１２ａを有する第１支持部材としての巻真パイプ１２と、巻真パイプ１２の一端に設けられる第２支持部材としての蓋部材１３と、巻真パイプ１２及び蓋部材１３の一端側を覆う操作部１４と、を備える。
【００１４】
巻真１１は、例えば直径０．８ｍｍ程度、長さ１０ｍｍ〜２０ｍｍ程度の細長い軸状であって、その軸方向一端側（腕時計ケース１の外方）の端部に雄ねじを構成するねじ溝が外周面に形成されたねじ部１１ａを備える。巻真１１の軸方向他端側は時計ケース２の内部であって時計モジュール４内に位置している。
【００１５】
巻真パイプ１２は、金属材料からなり、巻真１１が挿入される貫通孔１２ａを有する円筒状に構成されている。貫通孔１２ａは巻真１１の外径よりも大径であって、貫通孔１２ａ内において巻真１１の周りには空隙が形成されている。巻真パイプ１２の一端には、その端面の一部が軸方向他方側（時計内方）に向かって凹む円形の受け部１２ｂが形成されている。この受け部１２ｂに蓋部材１３が収容される。巻真パイプ１２の一端部は外周面が外方に突出したフランジ部１２ｃが形成されている。フランジ部１２ｃは、外周が非円形状であり、一部に、第１回転規制部としての平面部１２ｄを有している。この平面部１２ｄによって、巻真パイプ１２が操作部１４に対して回転しないように規制される。
巻真パイプ１２の軸方向他端側の外周面には円環状の２本のリング溝１２ｅが互いに平行に、周方向に沿って、形成されている。この２本のリング溝１２ｅにそれぞれＯリング１５が装着されている。
【００１６】
図１及び図２に示す蓋部材１３は、金属材料からなり、軸方向一端側のテーパ状部１３ａと、軸方向他端側のねじ穴１３ｄを有する円柱状部１３ｂとが、軸方向に連続して一体に構成される。蓋部材１３は、巻真パイプ１２の一端側に組み付けられる。この組付け状態において、ねじ穴１３ｄと貫通孔１２ａとが連続する。
【００１７】
テーパ状部１３ａは、軸方向に直交する断面が円形であって、軸方向に沿う断面形状が台形であり、一端側がに向かって漸次縮径する。テーパ状部１３ａの外面は操作部１４に覆われる。テーパ状部１３ａの端面には、径方向に沿って延びる第２回転規制部としての溝部１３ｃが形成されている。この溝部１３ｃに、インサート成形時に操作部１４の一部である樹脂材料が入り込み、成型により樹脂材料が固化することで、蓋部材１３と操作部１４との相対回転が規制される。
【００１８】
円柱状部１３ｂは、円形の受け部１２ｂ内に収容される。円柱状部１３ｂの他端側の端面には、軸方向に沿うねじ穴１３ｄが形成されている。このねじ穴１３ｄの深さは例えば１ｍｍ程度に設定されている。このねじ穴１３ｄに巻真１１の端部のねじ部１１ａが螺合することで、蓋部材１３に巻真１１の端部が固定される。
【００１９】
図２は、圧入などにより、巻真パイプ１２の受け部１２ｂ内に蓋部材１３が組み付けられた状態の組み立部品を示す。この組立て状態では、蓋部材１３によって巻真パイプ１２の貫通孔１２ａの一端側が塞がれるとともに、貫通孔１２ａとねじ穴１３ｄとが連続する。
【００２０】
操作部１４は、時計ケース外部に突出して配されている。操作部１４は、合成樹脂材料を含む材料から円柱状の外形を有し、その内部に巻真パイプ１２および蓋部材１３が組み付けられた組立部品の一端側が埋め込まれている。操作者が操作部１４の外面をつまみ、引き出しや押し込み、回転などの操作を行うことで、時計モジュール４のモード切替や時刻修正などを行う。
【００２１】
上記のように構成されたスイッチ装置１０の製造方法は、巻真パイプ１２と蓋部材１３とをそれぞれ個別に製造することと、巻真パイプ１２に蓋部材１３を組付けることと、インサート成形によって操作部１４を形成することと、を備える。
【００２２】
すなわち、まず、金属材料を加工し、所定箇所に貫通孔１２ａ、受け部１２ｂ、フランジ部１２ｃ、平面部１２ｄ、及びリング溝１２ｅなどを有する円筒形状の巻真パイプ１２を形成する。一方、金属材料を加工し、所定箇所にねじ穴１３ｄや溝部を有し円柱状部１３ｂとテーパ状部１３ａとを備える蓋部材１３を形成する。このとき、蓋部材１３には巻真１１の端部に対応する所定深さのねじ穴１３ｄを形成するが、蓋部材１３の端面からねじ穴１３ｄを加工できるため、比較的浅い加工で済み、ねじ切り工具の加工限界の影響を受けずに容易に加工できる。
【００２３】
次に、個別に加工された巻真パイプ１２の一端の受け部１２ｂに蓋部材１３の円柱状部１３ｂを圧入して仮組付けを行う。このとき、巻真パイプ１２の貫通孔１２ａの先に蓋部材１３のねじ穴１３ｄが連続するように位置づけられる。
巻真パイプ１２に蓋部材１３が組付けられた組み立て部品を配置した状態で、組立部品の一端側の周りを覆う合成樹脂材料をインサート成形によって形成し、操作部１４を形成する。
【００２４】
その後、貫通孔１２ａに巻真１１を挿入し、貫通孔１２ａの先に連続して配されるねじ穴１３ｄに巻真１１のねじ部１１ａを螺合することで、巻真１１が支持され、スイッチ装置１０が完成する。
【００２５】
上記実施形態に係るスイッチ装置１０、時計、及びスイッチ装置１０の製造方法によれば、巻真パイプ１２と蓋部材１３とを個別に形成してから組付けることで、巻真１１の長さを確保でき、耐衝撃性が向上する。
すなわち、巻真１１を長くする場合であっても、製造時には蓋部材１３の端面から直接所定深さのねじ穴１３ｄを形成すればよいため、工具や寸法の制約を受けずに、高い加工精度を確保しつつ、巻真１１の長いスイッチ装置１０を製造できる。
したがって長尺の巻真１１の撓みによってムーブメントの動きを吸収することができるため、ムーブメントの動きによる巻真１１破損・ムーブメント破壊を防止する効果が得られ、耐衝撃性が向上する。
【００２６】
[第２実施形態]
以下、第２実施形態にかかるスイッチ装置２０及び時計２００について、図３を参照して説明する。図３は、第２実施形態にかかる時計２００のスイッチ装置２０部分を示す断面図であり、破線Ｃ１は軸方向を示す。なお、各図において、適宜構成を拡大、縮小、省略して概略的に示す。
なお、第２実施形態において、スイッチ装置２０は、貫通孔２２ａを備える巻真パイプ２２と、巻真パイプ２２の外側を支持する支持部２３ａと操作部２３ｂとを一体に有する操作部材２３と、を備える点で、上記第１実施形態と異なる。この他は第１実施形態にかかるスイッチ装置２０及び時計１００と同様である。第２実施形態にかかるスイッチ装置２０及び時計２００において、第１実施形態にかかるスイッチ装置２０及び時計１００と同一の構成には同一の符号を付し、詳細な説明は省略する。
【００２７】
図３に示す時計２００は腕時計であり、腕時計ケース１と、時計ガラス２と、裏蓋３と、時計モジュール４と、スイッチ装置２０と、を備えている。
【００２８】
腕時計ケース１は、ケース本体１ａと、このケース本体１ａの上部外周に取り付けられたベゼルとを備えている。ケース本体１ａの上側開口部には、時計ガラス２がパッキン２ａを介して取り付けられている。ケース本体１ａの下部には、裏蓋３が防水リング３ａを介して取り付けられている。ケース本体１ａの内部には、時計モジュール４が設けられている。腕時計ケース１の３時側に位置する側部には、スイッチ装置２０が設けられている。
【００２９】
スイッチ装置２０は、操作者が引き出しや回転などの操作を行うことで時計モジュール４のモード切替や時刻修正などを行う、りゅうずである。
スイッチ装置２０は、一端側の端部にねじ部２１ａを有する軸状の軸部材としての巻真２１と、巻真２１の外周に設けられた内側支持部材としての巻真パイプ２２と、巻真パイプ２２の外周に配される支持部２３ａ及び操作部２３ｂを一体に有する外側支持部材としての操作部材２３と、を備える。
【００３０】
巻真２１は、例えば直径０．８ｍｍ程度、長さ１０ｍｍ〜２０ｍｍ程度の細長い軸状であって、その軸方向一端側に雄ねじを構成するねじ溝が外周面に形成されたねじ部２１ａが設けられている。巻真２１の軸方向他端側は腕時計ケース１の内部に設けられる時計モジュール４内に位置している。
【００３１】
巻真パイプ２２は、金属材料からなり、貫通孔２２ａを有し巻真２１の外周に配される円筒部２２ｂと、巻真２１の端部が螺合するねじ穴２２ｃを有する底部２２ｄと、を一体に備えている。円筒部２２ｂに形成された貫通孔２２ａとねじ穴２２ｃとは軸方向に沿って形成され、互いに連続する。
貫通孔２２ａは、巻真２１の外形より大径の孔であって、巻真２１の外側に所定の隙間が形成される。貫通孔２２ａの他端側の開口縁には外周が外方に突出するフランジ部２２ｅが形成されている。フランジ部２２ｅは、操作部材２３の支持部２３ａの開口縁２３ｄに支持される。
【００３２】
ねじ穴２２ｃは巻真パイプ２２の底部２２ｄを、厚さ方向、すなわち巻真２１の軸方向に、貫通して形成されている。ねじ穴２２ｃの深さは例えば１ｍｍ程度に設定されている。このねじ穴２２ｃに巻真２１の端部が螺合することで、巻真パイプ２２に巻真２１の端部が固定される。
【００３３】
操作部材２３は、金属材料からなり、巻真パイプ２２の外周に設けられ巻真パイプ２２を支持する筒状の支持部２３ａと、時計ケースの外方に突出して配される操作部２３ｂとが、軸方向に連続して一体に構成される。
【００３４】
支持部２３ａは、巻真パイプ２２の外周面よりも大径の挿入孔２３ｃを有する円筒状に構成されている。支持部２３ａの挿入孔２３ｃに巻真パイプ２２が配された状態で、巻真パイプ２２の外周には所定の空隙が形成されるようになっている。支持部２３ａの外周面には円環状の２本のリング溝２３ｅが互いに平行に、周方向に沿って、形成されている。この２本のリング溝２３ｅにそれぞれＯリング２５が装着される。
【００３５】
操作部２３ｂは、支持部２３ａよりも大径となる円柱状の外形を有し、その内部に巻真パイプ２２が挿入される挿入孔２３ｃが形成されている。操作部２３ｂは、時計ケース１の外部に突出して配されている。操作者が操作部２３ｂの外面をつまみ、引き出しや押し込み、回転などの操作を行うことで、時計モジュール４のモード切替や時刻修正などを行う。
【００３６】
上記のように構成されたスイッチ装置２０の製造方法は、巻真パイプ２２と操作部材２３とをそれぞれ個別に製造することと、操作部材２３の挿入孔２３ｃに巻真パイプ２２を挿入し、巻真パイプ２２のフランジ部２２ｅを開口縁２３ｄに固定することと、を備える。
【００３７】
すなわち、まず、金属材料を所定形状に加工し、貫通孔２２ａ及び底部２２ｄを貫通するねじ穴２２ｃやフランジ部２２ｅを備える円筒状の巻真パイプ２２を形成する。このとき、ねじ穴２２ｃは底部２２ｄを貫通して外側に至っているため、外側の端面からねじ穴２２ｃを形成することができる。端面からのねじ穴２２ｃの深さは巻真２１の端部のみに対応して比較的浅く、ねじ切り工具の加工限界の影響を受けずに容易に加工できる。一方、金属材料の加工により、挿入孔２３ｃを有する支持部２３ａと操作部２３ｂとを一体に備える操作部材２３を加工する。
【００３８】
次に、個別に加工された操作部材２３の挿入孔２３ｃの開口縁２３ｄの内周に、巻真パイプ２２のフランジ部２２ｅを合わせて配置し、かしめ加工によって、開口縁２３ｄにフランジ部２２ｅを支持させ、巻真パイプ２２を操作部材２３に組付ける。したがって、長い筒状の巻真パイプ２２は、軸方向一端側が自由端となり他端が操作部材２３に支持される片持ちの支持構造となる。また、挿入孔２３ｃの孔径は巻真パイプ２２の外径より大きく空隙を介在させる設定であるため、巻真パイプ２２は挿入孔２３ｃ内において撓み変形が可能となる。
【００３９】
その後、貫通孔２２ａの他端側から巻真２１を挿入し、貫通孔２２ａの先に連続して配されるねじ穴２２ｃに巻真２１の端部のねじ部２１ａを螺合することで、巻真２１が支持され、スイッチ装置２０が完成する。
【００４０】
上記実施形態に係るスイッチ装置２０、時計２００、及びスイッチ装置２０の製造方法によれば、上記第１実施形態と同様の効果を得られる。
【００４１】
すなわち、巻真２１を長くする場合であっても、製造時には巻真パイプ２２の軸方向一端側の端面から直接所定深さのねじ穴２２ｃを形成すればよいため、工具や寸法の制約を受けずに、高い加工精度を確保しつつ、巻真２１の長いスイッチ装置２０を製造できる。
【００４２】
したがって長尺の巻真２１の撓みによってムーブメントの動きを吸収することができるため、ムーブメントの動きによる巻真２１破損・ムーブメント破壊を防止する効果が得られ、耐衝撃性が向上する。
【００４３】
さらに、本実施形態にかかるスイッチ装置２０では、巻真パイプ２２と支持部２３ａとの間に空隙が配され、巻真パイプ２２の撓みによっても、ムーブメントの動きを吸収することができるため、ムーブメントの動きによる巻真２１破損・ムーブメント破壊を防止する効果が得られ、耐衝撃性がより向上する。
【００４４】
なお、上述した実施形態は例示であり、発明の範囲を限定するものではない。
本発明のいくつかの実施形態を説明したが、本発明は特許請求の範囲に記載された発明とその均等の範囲に含まれる。以下に、本願出願の当初の特許請求の範囲に記載された発明を付記する。
［付記］
＜請求項１＞
一端側の端部にねじ部を有する軸状の軸部材と、
前記軸部材の外周に設けられ、前記軸部材が挿入される貫通孔を有する第１支持部材と、
前記第１支持部材の一端側に組み付けられ、前記貫通孔に連続するとともに前記軸部材の端部が螺合するねじ穴を有する、第２支持部材と、
前記第１支持部材および前記第２支持部材の一端側に配される操作部と、
を備えることを特徴とするスイッチ装置。
＜請求項２＞
前記操作部は、樹脂材料を含み、前記第１支持部材の端部に前記第２支持部材が組付けられた組立部材の一端側の外面を被覆し、
前記第１支持部材は、円筒状であって、前記操作部に対する、前記軸部材の軸方向を中心とした、回転を規制する第１回転規制部を備え、
前記第２支持部材は、その外面の一部に、前記操作部に対する、前記軸部材の軸方向を中心とした、回転を規制する第２回転規制部を備える、
ことを特徴とする請求項１記載のスイッチ装置。
＜請求項３＞一端側の端部にねじ部を有する軸状の軸部材と、
前記軸部材が挿入され、軸方向に貫通する貫通孔を備えるとともに、前記貫通孔の一端側の端部に、前記ねじ部が螺合するねじ穴を備える内側支持部材と、
前記内側支持部材が挿入される挿入孔を有し、前記内側支持部材の他端側の端部を支持する支持部、及び、一端側に設けられる操作部を一体に備える外側支持部材と、
を備えることを特徴とする、スイッチ装置。
＜請求項４＞
前記内側支持部材は前記挿入孔内に配され、一端が自由端であり、他端が前記外側支持部材の前記挿入孔の開口縁に支持される、ことを特徴とする請求項３記載のスイッチ装置。
＜請求項５＞請求項１ないし請求項４のいずれか１項に記載のスイッチ装置と、
前記操作部をその外部に、前記軸部材の他端側をその内部に、配置する、時計ケースと、
前記時計ケース内に設けられる時計モジュールと、
を備えることを特徴とする時計。
＜請求項６＞
ねじ部を有する軸部材が挿入される貫通孔を備える第１支持部材を形成することと、
ねじ穴を有する第２支持部材を形成することと、
前記第１の支持材の端部に前記第２の支持材を組み付けた状態で、インサート成形により、樹脂材料を含む材料から構成されるとともに前記第１の支持部材及び前記第２の支持部材の一端側の外部を覆う操作部を形成することと、
を備えることを特徴とするスイッチ装置の製造方法。
＜請求項７＞
軸方向に貫通する貫通孔を備えるとともに、前記貫通孔の一端側の端部に、軸部材の端部が螺合するねじ穴を備える内側支持部材と、前記内側支持部材が挿入される挿入孔を有し、他端側に配される支持部、及び、一端側に配される操作部を一体に備える外側支持部材と、
をそれぞれ個別に形成することと、
前記内側支持部材の他端側の端部を前記外側支持部材の前記挿入孔の他端側の開口縁に組み付けることと、
を備えることを特徴とする、スイッチ装置の製造方法。
【符号の説明】
【００４５】
１００、２００…腕時計（時計）、１…腕時計ケース、１ａ…ケース本体、２…時計ガラス、３…裏蓋、４…時計モジュール、１０…スイッチ装置、１１…巻真（軸部材）、１１ａ…ねじ部、１２…巻真パイプ（第１支持部材）、１２ａ…貫通孔、１２ｂ…受け部、１２ｃ…フランジ部、１２ｄ…平面部（第１回転規制部）、１３…蓋部材（第２支持部材）、１３ｃ…溝部（第２回転規制部）、１３ｄ…ねじ穴、１４…操作部、２０…スイッチ装置、２１…巻真（軸部材）、２１ａ…ねじ部、２２…巻真パイプ（内側支持部材）、２２ａ…貫通孔、２２ｂ…円筒部、２２ｃ…ねじ穴、２２ｄ…底部、２２ｅ…フランジ部、２３…操作部材（外側支持部材）、２３ａ…支持部、２３ｂ…操作部、２３ｃ…挿入孔、２３ｄ…開口縁。
【図１】
0006354486.tif 000002
【図２】
0006354486.tif 000003
【図３】
0006354486.tif 000004